(57)【要約】【課題】サウナ装置において、配管の引き回しの制約がなく、サウナ運転時に通水する全ての配管に対して凍結防止を行うことができるサウナ装置の提供を目的とする。【解決手段】機器内に、機器の外部の温度を検知する機外温センサー６と、噴霧用の水を供給する給水回路８と、通水を制御する開閉手段としての電磁弁９と、給水を加熱する加熱手段としてのプレート式熱交換器１０と温水回路１１で接続する熱源機１２と、電磁弁９の先に噴霧室１３に水を噴霧する噴霧手段としてのノズル１４を設け、噴霧室１３の残水は排水手段４により排水され、また噴霧室１３で噴霧により加湿された空気を浴室に搬送するファンモーター５を備え、機外温センサー６により給水部１内の水が凍結する温度を検知したときに、電磁弁９によって給水部１内の水を流して凍結防止をする構成としたサウナ装置７を得られる。【選択図】図１
2007089753.tif 000002
【特許請求の範囲】
【請求項１】
機器内に、給水部と加熱部と噴霧部と排水手段と送風手段と温度検知手段とを備えたサウナ装置であって、前記給水部には噴霧用の水を供給する給水回路と通水を制御する開閉手段を設けるとともに、また前記加熱部には給水を加熱する加熱手段と温水回路で接続する熱源機を設けるとともに、前記噴霧部には給水部の開閉手段の先に噴霧室に水を噴霧する噴霧手段を設け、噴霧室の残水は排水手段により排水され、また噴霧室で噴霧により加湿された空気は送風手段により浴室に搬送されるようにしたサウナ装置において、前記温度検知手段により給水部内の水が凍結する温度を検知したときに、前記熱源機を動作して加熱により凍結防止をするようにしたサウナ装置。
【請求項２】
給水手段および噴霧手段の下方に加熱手段を備えることで、高温になった前記加熱手段の熱が前記給水手段と噴霧手段に間接的あるいはおよび直接的に伝わり凍結防止をする構成とした請求項１記載のサウナ装置。
【請求項３】
温度検知手段が検知した温度に応じて、熱源機を断続的に動作して凍結防止をするようにした請求項１記載のサウナ装置。
【請求項４】
温度検知手段が検知した温度に応じて、熱源機を断続的に動作する間隔を変更可能な構成とし凍結防止をするようにした請求項３記載のサウナ装置。
【請求項５】
機器内に、給水部と加熱部と噴霧部と排水手段と送風手段と温度検知手段とを備えたサウナ装置であって、前記給水部には噴霧用の水を供給する給水回路と通水を制御する開閉手段を設けるとともに、また前記加熱部には給水を加熱する加熱手段と温水回路で接続する熱源機を設けるとともに、前記噴霧部には給水部の開閉手段の先に噴霧室に水を噴霧する噴霧手段を設け、噴霧室の残水は排水手段により排水され、また噴霧室で噴霧により加湿された空気は送風手段により浴室に搬送されるようにしたサウナ装置において、前記温度検知手段により給水部内の水が凍結する温度を検知したときに、前記開閉手段によって給水部内に通水して凍結防止をする構成としたサウナ装置。
【請求項６】
温度検知手段として、機器の外部であって浴室外の温度を検知する機外温センサーと、浴室の温度を検知する浴室温センサーと、機器内部の噴霧部の温度を検知するノズル温センサーのうち一つもしくは複数備えたサウナ装置において、前記機外温センサーと前記浴室温センサーと前記ノズル温センサーのいずれかが、給水部内の水が凍結する温度を検知したときに、凍結防止をする構成とした請求項１または５記載のサウナ装置。
【請求項７】
機外温センサーまたは浴室温センサーと、ノズル温センサーとにより、給水部内の水が凍結する温度を検知するサウナ装置において、前記機外温センサーまたは前記浴室温センサーが給水部内の水が凍結する温度を検知しているときに、前記ノズル温センサーが給水部内の水が凍結しない温度を検知した場合、凍結防止を終了する構成とした請求項６記載のサウナ装置。
【請求項８】
温度検知手段が検知した温度に応じて、開閉手段を断続的に動作させ凍結防止をするようにした構成とした請求項５記載のサウナ装置。
【請求項９】
温度検知手段が検知した温度に応じて、開閉手段を断続的に動作する開閉の間隔を変更可能な構成とし凍結防止をするようにした請求項８記載のサウナ装置。
【請求項１０】
噴霧手段近傍から直接噴霧室に水を流すためのバイパス回路と、前記バイパス回路への流水を制御するバイパス開閉手段とを備え、温度検知手段が極度に低い温度を検知したとき、前記バイパス開閉手段を開き、前記噴霧室へ直接流水する構成とした、請求項５記載のサウナ装置。
【請求項１１】
噴霧部を乾燥するための乾燥手段を備え、開閉手段によって噴霧部に給水部内の水を流し凍結防止をした後、前記噴霧部を乾燥する構成とした請求項５記載のサウナ装置。
【請求項１２】
開閉手段によって噴霧部に給水部内の水を流した後、加熱部と送風手段の片方または両方を動作し、前記噴霧部を乾燥する構成とした請求項１１記載のサウナ装置。
【請求項１３】
噴霧部から送風手段により浴室へ送風する吹出口に開閉ルーバーを備え、開閉手段によって噴霧部に給水部内の水を流して凍結防止をしている間は、開閉ルーバーを閉とする構成とした請求項５記載のサウナ装置。
【請求項１４】
噴霧部から水を流して凍結防止をしている間は、送風手段を動作しない構成とした請求項５記載のサウナ装置。
【請求項１５】
噴霧部から水を送風手段に直接当てる構成とした請求項１４記載のサウナ装置。
【発明の詳細な説明】
【技術分野】
【０００１】
本発明はサウナ装置に関する。
【背景技術】
【０００２】
従来この種の凍結防止を行うサウナ装置は、サウナ装置内の配管内の残水を抜き取る手段（例えば、特許文献１参照）および配管内を通水させる手段が知られている。
【０００３】
以下、そのサウナ装置について図７を参照しながら説明する。
【０００４】
給湯器などからの高温湯を接続口１０１を介し、浴室やシャワーユニット内の湯噴射口１０２へ供給する配管１０３内に、開閉制御部１０４を設けて暖房装置を構成し、開閉制御部１０４を接続口１０１より低い位置に配置するとともに、開閉制御部１０４の最下点に水抜き用の開閉部材１０５を設けて構成する。
【０００５】
上記構成によれば、接続口１０１より低い位置に配置した開閉制御部１０４の最下点に設けた水抜き用の開閉部材１０５から水抜きをすることで、配管１０３の残水を抜いて、配管１０３の凍結防止を実施する。
【０００６】
また、この種の凍結防止を行うサウナ装置は、サウナ装置内の配管が接続される接続口より下方に噴出口が配置して残水を抜き取る手段が知られている（例えば、特許文献２参照）。
【０００７】
以下、そのサウナ装置について図８を参照しながら説明する。
【０００８】
浴室に設置され霧状の湯水を噴出するミストシャワー装置１０６に、ミストシャワー装置１０６に湯水を供給する配管１０７が接続される接続口１０８よりも下方に、霧状の湯水を噴出させる噴出口１０９を設けて構成する。
【０００９】
上記構成によれば、配管１０７に接続される接続口１０８よりも下方に設けた噴出口１０９から、残水を排出することで、凍結防止を実施する。
【特許文献１】特開２００２−１３７４７号公報
【特許文献２】特開２００５−１０３００３号公報
【発明の開示】
【発明が解決しようとする課題】
【００１０】
このような従来のサウナ装置では、排水のための配管引き回しに制限があるため、機器内の配管が複雑になるという課題があった。
【００１１】
また、浴室にミストシャワーを直接噴霧するサウナ装置では、噴霧手段から給水部内の水を排出すると、直接浴室に排出してしまうという課題があった。
【００１２】
また、常時通水して凍結防止を行う手段では、常時大量の水を流し続けることでランニングコストがかるという課題があった。
【００１３】
また、少ない通水量では極度に低い温度においては、十分な凍結防止が行えないという課題があった。
【００１４】
本発明は、上記従来の課題を解決するものであり、容易な構造でかつ、低ランニングコストで、凍結防止をすることが可能であるサウナ装置を提供することを目的としている。
【課題を解決するための手段】
【００１５】
本発明のサウナ装置は上記目的を達成するために、機器内に、給水部と加熱部と噴霧部と排水手段と送風手段と温度検知手段とを備えたサウナ装置であって、給水部には噴霧用の水を供給する給水回路と通水を制御する開閉手段を設けるとともに、また加熱部には給水を加熱する加熱手段と温水回路で接続する熱源機を設けるとともに、噴霧部には給水部の開閉手段の先に噴霧室に水を噴霧する噴霧手段を設け、噴霧室の残水は排水手段により排水され、また噴霧室で噴霧により加湿された空気は送風手段により浴室に搬送されるようにしたものである。
【００１６】
この手段により、温度検知手段により給水部内の水が凍結する温度を検知したときに、熱源機を動作して加熱により凍結防止できるサウナ装置が得られる。
【００１７】
また、他の手段は、給水手段および噴霧手段の下方に加熱手段を備えるようにしたものである。
【００１８】
この手段により、高温になった加熱手段の熱が給水手段と噴霧手段に間接的あるいはおよび直接的に伝わり凍結防止できるサウナ装置が得られる。
【００１９】
また、他の手段は、温度検知手段が検知した温度に応じて、熱源機を断続的に動作して凍結防止をするようにした構成としたものである。
【００２０】
この手段により、凍結防止中に熱源機を動作しない時間を設けることができるサウナ装置が得られる。
【００２１】
また、他の手段は、温度検知手段が検知した温度に応じて、熱源機を断続的に動作する間隔を変更可能な構成とし凍結防止をするようにしたものである。
【００２２】
この手段により、凍結防止中に熱源機を断続的に動作する間隔を温度に応じて変更できるサウナ装置が得られる。
【００２３】
また、他の手段は、機器内に、給水部と加熱部と噴霧部と排水手段と送風手段と温度検知手段とを備えたサウナ装置であって、給水部には噴霧用の水を供給する給水回路と通水を制御する開閉手段を設けるとともに、また加熱部には給水を加熱する加熱手段と温水回路で接続する熱源機を設けるとともに、噴霧部には給水部の開閉手段の先に噴霧室に水を噴霧する噴霧手段を設け、噴霧室の残水は排水手段により排水され、また噴霧室で噴霧により加湿された空気は送風手段により浴室に搬送されるようにしたものである。
【００２４】
この手段により、温度検知手段により給水部内の水が凍結する温度を検知したときに、開閉手段によって給水部内に通水して凍結防止できるサウナ装置が得られる。
【００２５】
また、他の手段は、温度検知手段として、機器の外部であって浴室外の温度を検知する機外温センサーと、浴室の温度を検知する浴室温センサーと、機器内部の噴霧部の温度を検知するノズル温センサーのうち一つもしくは複数備えたものである。
【００２６】
この手段により、機外温センサーと浴室温センサーとノズル温センサーのいずれかが、給水部内の水が凍結する温度を検知したときに、凍結防止できるサウナ装置が得られる。
【００２７】
また、他の手段は、機外温センサーまたは浴室温センサーと、ノズル温センサーとにより、給水部内の水が凍結する温度を検知するものである。
【００２８】
この手段により、機外温センサーまたは浴室温センサーが給水部内の水が凍結する温度を検知しているときに、ノズル温センサーが給水部内の水が凍結しない温度を検知した場合、凍結防止を終了することができるサウナ装置が得られる。
【００２９】
また、他の手段は、温度検知手段が検知した温度に応じて、開閉手段を断続的に動作させ凍結防止をするようにしたものである。
【００３０】
この手段により、給水部に通水しない時間を設けることができるサウナ装置が得られる。
【００３１】
また、他の手段は、温度検知手段が検知した温度に応じて、開閉手段を断続的に動作する開閉の間隔を変更可能な構成とし凍結防止をするようにしたものである。
【００３２】
この手段により、給水部に通水しない時間を温度に応じて変更できるサウナ装置が得られる。
【００３３】
また、他の手段は、噴霧手段近傍から直接噴霧室に水を流すためのバイパス回路と、バイパス回路への通水を制御するバイパス開閉手段を備えたものである。
【００３４】
この手段により、温度検知手段が極度に低い温度を検知したとき、バイパス開閉手段を開き、噴霧室へ直接通水するできるサウナ装置が得られる。
【００３５】
また、他の手段は、噴霧部を乾燥するための乾燥手段を備えたものである。
【００３６】
この手段により、凍結防止中に開閉手段によって噴霧部に通水した後、噴霧部を乾燥できるサウナ装置が得られる。
【００３７】
また、他の手段は、開閉手段によって噴霧部に通水した後、加熱部と送風手段の片方または両方を動作するものである。
【００３８】
この手段により、開閉手段によって噴霧部に通水した後、噴霧部を乾燥できるサウナ装置が得られる。
【００３９】
また、他の手段は、噴霧部から送風手段により浴室へ送風する吹出口に開閉ルーバーを備えたものである。
【００４０】
この手段により、凍結防止中に開閉手段によって噴霧部から給水部内の水を流している間は、開閉ルーバーを閉として湿気や水滴が浴室にもれないようにできるサウナ装置が得られる。
【００４１】
また、他の手段は、凍結防止中に噴霧部から給水部内の水を流している間は、送風手段を動作しない構成としたものである。
【００４２】
この手段により、湿気や水滴が浴室にもれないようにできるサウナ装置が得られる。
【００４３】
また、他の手段は、噴霧部から給水部内の水を送風手段に直接当てる構成としたものである。
【００４４】
この手段により、送風手段が停止している間は水滴の破砕がなくなり、浴室に破砕された細かい水滴が不要にもれることが軽減され、凍結防止のために水を有効使用できるサウナ装置が得られる。
【発明の効果】
【００４５】
本発明によれば、機器内の配管に排水を行うための制約がなく、引き回しが単純化でき省スペースのサウナ装置を提供することができる。
【００４６】
また、熱源の熱により効率が良く給水部内の水が加温でき、ランニングコストが少なく凍結防止を行うことができるサウナ装置を提供することができる。
【００４７】
また、常時熱源機を動作する凍結防止を行う手段においても、熱源機のランニングコストを削減することができる。
【００４８】
また、常時通水して凍結防止を行う手段においても、サウナ運転時に給水部内に通水する箇所すべてを凍結防止することができるサウナ装置を提供することができる。
【００４９】
また、浴室にミストシャワーを直接噴霧するサウナ装置においても、噴霧手段から給水部内の水を直接浴室に排出することなく排水できるサウナ装置を提供することができる。
【００５０】
また、常時通水して凍結防止を行う手段においても、少ない通水量で凍結防止を行うことで、ランニングコストが少なく凍結防止を行うことができるサウナ装置を提供することができる。
【００５１】
また、機器の性能上必要最低限の温度検知手段のみで凍結防止をすることができるサウナ装置を提供できる。
【００５２】
また、温度検知手段が故障したときに、他の温度検知手段を用いて凍結防止をすることができるサウナ装置を提供できる。
【００５３】
また、極度に低い温度においても、効果的な凍結防止ができるサウナ装置を提供できる。
【００５４】
また、凍結防止終了後、噴霧した湿気や水滴が原因で発生する菌やカビの繁殖を防ぐことができるサウナ装置を提供できる。
【００５５】
また、凍結防止のために水を有効利用することができるサウナ装置を提供できる。
【発明を実施するための最良の形態】
【００５６】
本発明の請求項１記載の発明は、機器内に、給水部と加熱部と噴霧部と排水手段と送風手段と温度検知手段とを備えたサウナ装置であって、給水部には噴霧用の水を供給する給水回路と通水を制御する開閉手段を設けるとともに、また加熱部には給水を加熱する加熱手段と温水回路で接続する熱源機を設けるとともに、噴霧部には給水部の開閉手段の先に噴霧室に水を噴霧する噴霧手段を設け、噴霧室の残水は排水手段により排水され、また噴霧室で噴霧により加湿された空気は送風手段により浴室に搬送されるようにしたものであり、水温が低下して給水部内の水が凍結する温度を温度検知手段が検知し、熱源機を動作して加熱手段が給水部内の水を加熱して水温が上昇し、凍結しなくなるという作用を有する。
【００５７】
また、請求項２記載の発明は、給水手段および噴霧手段の下方に加熱手段を備えるようにしたものであり、高温になった加熱手段の熱が、上方にある給水手段と噴霧手段に空気や配管や水が熱導体となり間接的あるいはおよび直接的に伝わり、サウナ運転時に通水する全ての配管を温めることで、凍結しなくなるという作用を有する。
【００５８】
また、請求項３記載の発明は、温度検知手段が検知した温度に応じて、熱源機を断続的に動作して凍結防止をするようにしたものであり、凍結防止中に熱源機を動作しない時間を設けることができるという作用を有する。
【００５９】
また、請求項４記載の発明は、温度検知手段が検知した温度に応じて、熱源機を断続的に動作する間隔を変更可能な構成とし凍結防止をするようにしたものであり、凍結防止中に熱源機を断続的に動作する間隔を温度に応じて変更できるという作用を有する。
【００６０】
また、請求項５記載の発明は、機器内に、給水部と加熱部と噴霧部と排水手段と送風手段と温度検知手段とを備えたサウナ装置であって、給水部には噴霧用の水を供給する給水回路と通水を制御する開閉手段を設けるとともに、また加熱部には給水を加熱する加熱手段と温水回路で接続する熱源機を設けるとともに、噴霧部には給水部の開閉手段の先に噴霧室に水を噴霧する噴霧手段を設け、噴霧室の残水は排水手段により排水され、また噴霧室で噴霧により加湿された空気は送風手段により浴室に搬送されるようにしたものであり、水温が低下して給水部内の水が凍結する温度を温度検知手段が検知し、開閉手段によって給水部に水を供給することで給水部、噴霧部、排水手段に至るまで通水されて、凍結しなくなるという作用を有する。
【００６１】
また、請求項６記載の発明は、温度検知手段として、機器の外部であって浴室外の温度を検知する機外温センサーと、浴室の温度を検知する浴室温センサーと、機器内部の噴霧部の温度を検知するノズル温センサーのうち一つもしく複数備えたものであり、機外温センサーと浴室温センサーとノズル温センサーのいずれかで、給水部内の水が凍結する温度を検知したときに、凍結防止できるという作用を有する。
【００６２】
また、請求項７記載の発明は、機外温センサーまたは浴室温センサーと、ノズル温センサーとにより、給水部内の水が凍結する温度を検知するものであり、機外温センサーまたは浴室温センサーが給水部内の水が凍結する温度を検知しているときに、ノズル温センサーが給水部内の水が凍結しない温度と検知した場合、凍結防止を終了するという作用を有する。
【００６３】
また、請求項８記載の発明は、温度検知手段が検知した温度に応じて、開閉手段を断続的に動作させ凍結防止をするようにしたものであり、給水部に通水しない時間を設けることができるという作用を有する。
【００６４】
また、請求項９記載の発明は、温度検知手段が検知した温度に応じて、開閉手段を断続的に動作する開閉の間隔を変更可能な構成とし凍結防止をするようにしたものであり、給水部に通水しない時間を温度に応じて変更できるという作用を有する。
【００６５】
また、請求項１０記載の発明は、噴霧手段近傍から直接噴霧室に水を流すためのバイパス回路と、バイパス回路への通水を制御するバイパス開閉手段を備えたものであり、温度検知手段が極度に低い温度を検知したとき、バイパス開閉手段を開き、バイパス回路に給水部内の水を流し、給水部、噴霧部、排水手段に至るまで充分な量が通水されて、凍結しなくなるという作用を有する。
【００６６】
また、請求項１１記載の発明は、噴霧部を乾燥するための乾燥手段を備えたものであり、凍結防止中に開閉手段によって噴霧部に給水部内に通水した後、噴霧部を乾燥できるという作用を有する。
【００６７】
また、請求項１２記載の発明は、開閉手段によって噴霧部に給水部内の水を流した後、加熱部と送風手段の片方または両方を動作するものであり、開閉手段によって噴霧部に給水部内の水を流した後、加熱部と送風手段の片方または両方を動作することにより、噴霧部を乾燥できるという作用を有する。
【００６８】
また、請求項１３記載の発明は、噴霧部から送風手段により浴室へ送風する吹出口に開閉ルーバーを備えたものであり、凍結防止中に開閉手段によって噴霧部に給水部内に通水している間は、開閉ルーバーを閉として湿気や水滴が浴室にもれないようにできるという作用を有する。
【００６９】
また、請求項１４記載の発明は、凍結防止中に噴霧部から給水部内に通水している間は、送風手段を動作しない構成としたものであり、湿気や水滴が浴室にもれないようにできるという作用を有する。
【００７０】
また、請求項１５記載の発明は、噴霧部から給水部内の水を送風手段に直接当てる構成としたものであり、送風手段により破砕されて発生する細かい水滴が、不要に浴室にもれることを軽減でき、凍結防止に水を有効利用できるという作用を有する。
【００７１】
以下、本発明の実施の形態について図面を参照しながら説明する。
【００７２】
（実施の形態１）
図１に示すように、機器内に、給水部１と加熱部２と噴霧部３と排水手段４と送風手段としてのファンモーター５と温度検知手段としての機外温センサー６を備えたサウナ装置７であって、給水部１には噴霧用の水を供給する給水回路８と通水を制御する開閉手段としての電磁弁９を設けるとともに、また加熱部２には給水を加熱する加熱手段としてのプレート式熱交換器１０と温水回路１１で接続する熱源機１２を設けるとともに、噴霧部３には給水部１の電磁弁９の先、即ち下流側に噴霧室１３に水を噴霧する噴霧手段としてのノズル１４を設け、噴霧室１３の残水は排水手段４により排水され、また噴霧室１３で噴霧により加湿された空気はファンモーター５により浴室に搬送されるようにしたサウナ装置７を構成する。噴霧室１３の残水は、ノズル１４から噴霧された水の内、浴室内に吹出されずに、装置内に残った残水であり、噴霧された水が噴霧室１３内で結露した水も含む。
【００７３】
上記構成にて、機外温センサー６が摂氏２度以下を検知すると、熱源機１２が動作し、温水回路１１を通してプレート式熱交換器１０へ温水を供給する。
【００７４】
プレート式熱交換器１０に温水が供給されることによって、プレート式熱交換器１０は加熱され、また、プレート式熱交換器１０内部では給水回路８に対し熱交換が行われて給水回路８および内部に水が存在する場合には給水回路８の内部の水も加熱されることになる。高温になった加熱手段としてのプレート式熱交換器１０によって給水回路８内の水が加熱され、それによって噴霧手段としてのノズル１４も加熱され、凍結が防止されることとなる。高温は、給水回路８とノズル１４内の水が凍結防止できれば良く、本発明の実施の形態１では、８０℃程度に加温された温度である。
【００７５】
加熱された給水回路８および給水回路８の内部の水は、それぞれ熱導体として給水回路８全体に熱が伝わり、断熱構造ではない部品で接続するノズル１４にも熱が伝わることになる。
【００７６】
また、プレート式熱交換器１０自身が温水によって加熱されるために、プレート式熱交換器１０から発する熱は、空気を熱導体としてサウナ装置７の内部全体に広がり、サウナ装置７内部に設ける給水部１、噴霧部３、排水手段４が加熱される。
【００７７】
これにより、特に配管の引き回しの制約なしに、給水部１、噴霧部３、排水手段４の温度は凍結に至らない温度まで上昇し、凍結を未然に防ぐことができる。
【００７８】
また、プレート熱交換器１０を、給水部１、噴霧部３、排水手段４より下方に設置することにより、熱が給水部１と噴霧部３に間接的および直接的に伝わり、より効率的な凍結防止が可能となる。ここで、下方とは、凍結防止の対象の給水部、噴霧部、排水手段を加温できれば良く、例えば、実設置状態で前記３つの部位より１００〜２００ｍｍ程度、下部に位置するものである。
【００７９】
機外温センサー６が摂氏２度以上となった場合、熱源機１２は停止し、温水の供給を止めて凍結防止を終了する。
【００８０】
なお、凍結防止の動作を開始、終了する機外温センサー６の検知温度を、摂氏２度としたが、同様の作用効果が得られるのであればこれに限るものではない。
【００８１】
なお、送風手段としてファンモーター、開閉手段として電磁弁、噴霧手段としてノズル、加熱手段としてプレート式熱交換器を用いたが、同様の作用効果が得られるものであればこれに限るものではない。熱源機１２としては、加熱あるいは温水ができれば良く、ボイラー、温水ボイラー、ヒータなどがある。
【００８２】
また、上記構成にて、機外温センサー６が摂氏２度以下を検知すると、電磁弁９を開とし、サウナ加湿のために給水回路８に接続されている水道管から給水回路８に水を流し、給水回路８と接続したノズル１４からミスト状に噴霧する。
【００８３】
ノズル１４から噴霧した水は噴霧室１３から排水手段４へ通水し、機外に排水される。
【００８４】
ノズル１４を介して給水部１、噴霧部３、排水手段４に常時通水されることにより水量がしぼられ、給水部１、噴霧部３、排水手段４の凍結を少ない水量で、かつ、機器内にノズル１４が設けられていることから、浴室内に排水することなく、給水部１、噴霧部３、排水手段４の凍結を未然に防ぐことができる。
【００８５】
（実施の形態２）
次に、本発明の実施の形態２について図面を参照しながら説明する。なお、実施の形態１と同一のものは同一番号を付し、その詳細な説明を省略する。
【００８６】
図２に示すように、機器の外部の温度を検知する機外温センサー６と、機器の浴室側の温度を検知する浴室温センサー１５と、機器内部の噴霧部３の温度を検知するノズル温センサー１６のうち一つもしく複数備えたサウナ装置７を構成する。
【００８７】
上記構成において、機外温センサー６、浴室温センサー１５、ノズル温センサー１６のいずれか１つがサウナ装置７に設けられていた場合、設けられたセンサーによって凍結防止を実施する。
【００８８】
例えば、浴室温センサー１５のみ設置するサウナ装置７において、浴室温センサー１５が摂氏２度以下となったときに、実施の形態１に記載の凍結防止を行う。
【００８９】
ノズル温センサー１６のみ設置するサウナ装置７においては、ノズル温センサー１６が摂氏２度以下となったときに、実施の形態１に記載の凍結防止を行う。
【００９０】
サウナ装置７が停止時には、サウナ装置７の内部に大きな発熱部がない構成であるために、機外温センサー６と浴室温センサー１５は顕著な差異のない温度を検知するので、浴室温センサー１５は機外温センサー６に対して代用可能な温度を検知できる。
【００９１】
また、停止時には、機外温センサー６とノズル温センサー１６は、共に給水回路８の温度を検知しているために、ノズル温センサー１６は機外温センサー６に対して代用可能な温度を検知できる。
【００９２】
また、機外温センサー６、浴室温センサー１５、ノズル温センサー１６の温度センサーうちの２つまたはすべての温度センサーがサウナ装置７に設けられている場合は、温度センサーに優先順位をつけて、優先順位の高い温度センサーが検知した温度を凍結防止の制御に用い、万が一優先順位の高い温度センサーが故障した場合には、次に優先順位の高い温度センサーが検知した温度で代用する。
【００９３】
例えば、機外温センサー６と浴室温センサー１５とノズル温センサー１６が設けられているサウナ装置７において、凍結防止制御を検知する優先順位を、機外温センサー６、ノズル温センサー１６、浴室温センサー１５の順に決める。
【００９４】
通常時は機外温センサー６により摂氏２度以下となったときに、実施の形態１に記載の凍結防止を実施する。
【００９５】
次に、機外温センサー６が万が一故障した場合、次に優先順位の高いノズル温センサー１６により、摂氏２度以下となったときに、実施の形態１に記載の凍結防止を実施する。
【００９６】
次に、機外温センサー６およびノズル温センサー１６が共に故障した場合は、次に優先順位の高い浴室温センサー１５により、摂氏２度以下となったときに、実施の形態１に記載のの凍結防止を実施する。
【００９７】
なお、凍結防止を開始、終了する機外温センサー６および、浴室温センサー１５および、ノズル温センサー１６の検知温度を、摂氏２度としたが、同様の作用効果が得られるのであればこれに限るものではない。
【００９８】
なお、凍結防止を検知する優先順位を、機外温センサー６、ノズル温センサー１６、浴室温センサー１５の順としたが、同様の作用効果が得られるのであればこれに限るものではない。
【００９９】
また、上記構成において、機外温センサー６または浴室温センサー１５と、ノズル温センサー１６が設けられているサウナ装置７において、機外温センサー６または浴室温センサー１５が摂氏２度以下を検知すると、実施の形態１に記載の凍結防止を行う。
【０１００】
凍結防止中にはノズル温センサー１６にて常時ノズル１４もしくは給水回路８の温度を検知しており、機外温センサー６または浴室温センサー１５が摂氏２度以上を検知しなくても、ノズル温センサー１６が摂氏２度以上を検知した場合、凍結防止を終了する。
【０１０１】
例えば、機外温センサー６が摂氏１度を検知し、実施の形態１に記載の凍結防止を実施しているときに、ノズル温センサー１６が摂氏３度を検知した場合、機外温センサー６が摂氏２度以下を検知していても凍結防止は終了する。
【０１０２】
なお、凍結防止を開始、終了する機外温センサー６および浴室温センサー１５、ノズル温センサー１６の検知温度を、摂氏２度としたが、同様の作用効果が得られるのであればこれに限るものではない。
【０１０３】
（実施の形態３）
次に、本発明の実施の形態３について図面を参照しながら説明する。なお、実施の形態１と同一部分は同一番号を付し、その詳細な説明を省略する。
【０１０４】
図１、３に示すように、機外温センサー６の検知する温度において、凍結防止の制御方法を変える。
【０１０５】
まず、Ｓ１０１にて機外温センサー６が温度を検知し、摂氏５℃より高い場合はＳ１０２に示すように通常運転を行い、摂氏５度以下の場合はＳ１０３にて再度温度の判定を行う。
【０１０６】
Ｓ１０３に示すように、機外温センサー６の検知した温度が摂氏３度より高く、摂氏５度以下である場合は、Ｓ１０４に示すように、熱源機１２を１０分間ＯＮし、２０分間ＯＦＦを繰り返す。
【０１０７】
機外温センサー６の検知した温度が摂氏３度以下であった場合は、Ｓ１０５に示すように再度温度の判定を行い、摂氏１度より高く、摂氏３度以下である場合は、Ｓ１０６に示すように、熱源機１２を１０分間ＯＮし、１０分間ＯＦＦを繰り返す。
【０１０８】
機外温センサー６の検知した温度が摂氏１度以下であった場合は、Ｓ１０７に示すように熱源機１２を連続でＯＮとする。
【０１０９】
また、機外温センサー６は常時温度を検知しており、温度の判定も常時行っているものとし、熱源機１２の動作は温度条件が該当する動作に常時切り替わるものとする。
【０１１０】
例えば、機外温センサー６が摂氏３℃より高く５℃以下を検知した場合は、熱源機１２を１０分間ＯＮ、２０分間ＯＦＦを繰り返し、機外温センサー６が摂氏１℃より高く３℃以下を検知した場合は、熱源機１２を１０分ＯＮ、１０分間ＯＦＦを繰り返すというように、機外温センサー６の検知した温度が高い場合には、電磁弁９をＯＦＦする時間を長くし、熱源機１２運転時のランニングコストを下げることができる。
【０１１１】
なお、機外温センサー６の凍結防止制御の検知温度を摂氏１℃、３℃、５℃で閾値を設けたが、同様の作用効果が得られるのであればこれに限るものではない。
【０１１２】
なお、熱源機１２の動作時間を１０分、２０分としたが、同様の作用効果が得られるのであればこれに限るものではない。
【０１１３】
また、図１、４に示すように、機外温センサー６の検知する温度において、凍結防止の制御方法を変える。
【０１１４】
まず、Ｓ１０８にて機外温センサー６が温度を検知し、摂氏５℃より高い場合はＳ１０９に示すように通常運転を行い、摂氏５度以下の場合はＳ１１０にて再度温度の判定を行う。
【０１１５】
Ｓ１１０に示すように、機外温センサー６の検知した温度が摂氏３度より高く、摂氏５度以下である場合は、Ｓ１１１に示すように、電磁弁９を１０分間開、２０分間閉を繰り返す。
【０１１６】
機外温センサー６の検知した温度が摂氏３度以下であった場合は、Ｓ１１２に示すように再度温度の判定を行い、摂氏１度より高く、摂氏３度以下である場合は、Ｓ１１３に示すように、電磁弁９を１０分間開、１０分間閉を繰り返す。
【０１１７】
機外温センサー６の検知した温度が摂氏１度以下であった場合は、Ｓ１１４に示すように電磁弁９を連続で開とする。
【０１１８】
また、機外温センサー６は常時温度を検知しており、温度の判定も常時行っているものとし、電磁弁９の動作は温度条件が該当する動作に常時切り替わるものとする。
【０１１９】
例えば、機外温センサー６が摂氏３℃より高く５℃以下を検知した場合は、電磁弁９を１０分開、２０分閉を繰り返し、機外温センサー６が摂氏１℃より高く３℃以下を検知した場合は、電磁弁９を１０分開、１０分閉を繰り返すというように、機外温センサー６の検知した温度が高い場合には、電磁弁９の閉とする時間を長くし、通水量を減らしてランニングコストを下げることができる。
【０１２０】
なお、機外温センサー６の凍結防止の検知温度を摂氏１℃、３℃、５℃で閾値を設けたが、同様の作用効果が得られるのであればこれに限るものではない。
【０１２１】
なお、電磁弁９の開閉時間を１０分、２０分としたが、同様の作用効果が得られるのであればこれに限るものではない。
【０１２２】
（実施の形態４）
次に、本発明の実施の形態４について図面を参照しながら説明する。なお、実施の形態１と同一のものは同一番号を付し、その詳細な説明を省略する。
【０１２３】
図１、５に示すように、ノズル１４近傍の給水回路８から直接噴霧室１３に給水部１内に通水するためのバイパス回路１７と、バイパス回路１７への通水を制御するバイパス開閉手段としてのバイパス用電磁弁１８を備えたサウナ装置７を構成する。
【０１２４】
上記構成において、機外温センサー６が摂氏マイナス５℃以下を認識したとき、実施の形態１に示す、電磁弁９を開いて給水部１および噴霧部３および排水手段４に通水することによる凍結防止を実施すると共に、バイパス用電磁弁１８を開とし、バイパス回路１７からノズル１４から通水する場合の数倍の水量を通水することにより、給水部１および噴霧室１３および排水手段４に、ノズル１４から通水する場合の数倍の水量が通水され、機外温センサー６が検知した温度が摂氏０度を大きく下回る温度においても凍結防止ができる。
【０１２５】
ノズル１４の箇所においては、バイパス用電磁弁１８が開となることで、ノズル１４の箇所の水はバイパス回路１７から噴霧室１３に全て排水されて、凍結を防止ができる。
【０１２６】
なお、機外温センサー６の凍結防止の検知温度を摂氏マイナス５℃としたが、同様の作用効果が得られるのであればこれに限るものではない。
【０１２７】
（実施の形態５）
次に、本発明の実施の形態５について図面を参照しながら説明する。なお、実施の形態１と同一のものは同一番号を付し、その詳細な説明を省略する。
【０１２８】
図１に示すようにな構成において、実施の形態１に示す、電磁弁９を開いて給水部１および噴霧部３および排水手段４に通水することによる凍結防止を実施したとき、凍結防止中に噴霧室１３はノズル１４からの噴霧によって濡れてしまうため、凍結防止終了後に乾燥手段としてのファンモーター５によっての水滴、湿気を風圧によって排除して噴霧部３を乾燥することで、噴霧部３の菌やカビの発生を防ぐことができる。
【０１２９】
また別の乾燥手段としては、加熱部２における、加熱手段としてのプレート熱交換器１０と温水回路１１と熱源機１２を使用して、プレート熱交換器１０を加熱し、噴霧室１３を加熱することで、噴霧室１３内部の水滴、湿気を蒸発して排除する手段がある。
【０１３０】
または、乾燥手段として、ファンモーター５と加熱部２の両方を使用して、噴霧室１３を加熱して、水滴や湿気を蒸発しながら、ファンモーター５の風圧で水滴や湿気を排除し、乾燥することができる。
【０１３１】
（実施の形態６）
次に、本発明の実施の形態６について図面を参照しながら説明する。なお、実施の形態１と同一のものは同一番号を付し、その詳細な説明を省略する。
【０１３２】
図１、６に示すように、噴霧部３からファンモーター５により浴室へ送風する吹出口に開閉ルーバー１９を備えたサウナ装置７を構成する。
【０１３３】
上記構成において、実施の形態１に示す、電磁弁９を開いて給水部１および噴霧部３および排水手段４に通水することによる凍結防止中は、噴霧室１３はノズル１４からの噴霧によって、水滴や湿気が多く発生し、浴室内に漏れる可能性があるため、浴室への吹出口に設けた開閉ルーバー１９を、凍結防止の開始と同時に自動的に閉じて、浴室内に水滴や湿気を漏らすことを防ぐことができる。
【０１３４】
また、実施の形態１に示す、電磁弁９を開いて給水部１および噴霧部３および排水手段４に通水することによる凍結防止中には、凍結防止前にファンモーター５が動作する運転をしていたときも、ファンモーター５を止めて、浴室内に水滴や湿気を漏らすことを防ぐことができる。
【０１３５】
また、ファンモーター５を止めて、ノズル１４から直接ファンモーター５に噴霧することで、ファンモーター５の運転時に比較して、ファンモーター５との衝突により破砕されて発生する細かい水滴が不要に浴室に漏れることを軽減でき、凍結防止に水を有効利用できる。
【産業上の利用可能性】
【０１３６】
水を使用し、ノズルを含む機器において凍結防止をするものを対象に適用することができる。
【図面の簡単な説明】
【０１３７】
【図１】本発明の実施の形態１および３〜６のサウナ装置の構成を示す概略図
【図２】同実施の形態２のサウナ装置の構成を示す概略図
【図３】同実施の形態３のデータ処理の構成を示すブロック図
【図４】同実施の形態３のデータ処理の構成を示すブロック図
【図５】同実施の形態４の噴霧部の構成を示す概略図
【図６】同実施の形態６の噴霧部の構成を示す概略図
【図７】従来の暖房装置の構成を示すブロック図
【図８】従来のミストシャワー装置の構成を示すブロック図
【符号の説明】
【０１３８】
１    給水部
２    加熱部
３    噴霧部
４    排水手段
５    ファンモーター
６    機外温センサー
７    サウナ装置
８    給水回路
９    電磁弁
１０  プレート式熱交換器
１１  温水回路
１２  熱源機
１３  噴霧室
１４  ノズル
１５  浴室温センサー
１６  ノズル温センサー
１７  バイパス回路
１８  バイパス用電磁弁
１９  開閉ルーバー
【図１】
2007089753.tif 000003
【図２】
2007089753.tif 000004
【図３】
2007089753.tif 000005
【図４】
2007089753.tif 000006
【図５】
2007089753.tif 000007
【図６】
2007089753.tif 000008
【図７】
2007089753.tif 000009
【図８】
2007089753.tif 000010